(57)【要約】【課題】発生するミストの外径を小径化するとともに、十分な量のミストを発生させることのできるミスト発生装置を提供する。【解決手段】ミスト発生装置１は、ミスト発生用回転体７０を備え、ミスト発生用回転体７０の放射方向において、ミスト発生用回転体７０から放射されたミストが衝突する円筒形状の網体６０が装置本体１０に固定されて配置されている。かかる網体６０の一側面６１には、線材と貫通孔とによって凹凸形状が形成されている。【選択図】図１
2019063309.tif 000002
【特許請求の範囲】
【請求項１】
水が供給されるミスト発生用回転体を備えた装置本体を具備し、前記ミスト発生用回転体が回転すると、供給された前記水が前記ミスト発生用回転体の遠心力によって放射方向にミストとなって放射されるミスト発生装置であって、
前記ミスト発生用回転体の前記放射方向において前記ミスト発生用回転体から離間した位置には、前記ミスト発生用回転体から放射された前記ミストが衝突する面が一側に形成された、前記ミスト発生用回転体とは別体の面状体が前記装置本体に固定されて配置されており、さらに前記面状体の一側の面には、凹凸形状が形成されている
ことを特徴とするミスト発生装置。
【請求項２】
前記装置本体は、前記ミスト発生用回転体を基準として前記面状体よりも離れた位置に設けられた周壁部を具備し、
前記ミスト発生用回転体と前記周壁部との間に位置する前記面状体は、前記一側の面から他側の面にわたって貫通する貫通孔を複数有している
請求項１に記載のミスト発生装置。
【請求項３】
前記装置本体は、前記ミスト発生用回転体の周囲に上昇気流を発生させる上昇気流発生手段を備えており、
また、前記装置本体の上部であって前記ミスト発生用回転体の上方に位置する部位には、前記上昇気流発生手段によって発生した上昇気流に乗ったミストが通過するミスト放出口部が形成されている
請求項１又は請求項２に記載のミスト発生装置。
【請求項４】
前記ミスト発生用回転体の回転軸が上下方向に定められており、かつ、
前記上昇気流発生手段は、前記ミスト発生用回転体の側周部に設けられて、当該ミスト発生用回転体が回転することによって上昇気流を発生させる気流案内傾斜部によって構成されている
請求項３に記載のミスト発生装置。
【請求項５】
前記面状体は、線材を筒形状に編んでなる網体であり、
前記網体は、前記装置本体内に形成されて前記網体の下端部が挿入されるガイド溝に脱着可能に載置されている
請求項１乃至請求項４のいずれか１項に記載のミスト発生装置。
【発明の詳細な説明】
【技術分野】
【０００１】
本発明は、ミストサウナや、高齢者あるいは病人等の手足のミスト浴などに使用されるミスト発生装置に関する。
【背景技術】
【０００２】
従来から、ミスト浴のための装置は種々提案されている。例えば特許文献１では、スプレーノズルから回転体の周壁の全域に拡散して貯留水が噴射され、噴射された水は周壁に設けられた微細孔を通る過程で細分化されるミスト発生装置が開示されている。
【先行技術文献】
【特許文献】
【０００３】
【特許文献１】特開２０１４−１６０８２号公報
【発明の概要】
【発明が解決しようとする課題】
【０００４】
しかしながら、特許文献１のミスト発生装置にあっては、水を回転体の周壁の全域に拡散させるためにスプレーノズルの形状が複雑化してしまうおそれがある。また、回転体の周壁を通過したミストのみが使用されることとなり、排出される空気中に含まれるミストの量が比較的少ないという問題がある。
【０００５】
そこで本発明は、発生するミストの外径を小径化するとともに、十分な量のミストを発生させることのできるミスト発生装置を提供することを目的とする。
【課題を解決するための手段】
【０００６】
本発明は、水が供給されるミスト発生用回転体を備えた装置本体を具備し、前記ミスト発生用回転体が回転すると、供給された前記水が前記ミスト発生用回転体の遠心力によって放射方向にミストとなって放射されるミスト発生装置であって、前記ミスト発生用回転体の前記放射方向において前記ミスト発生用回転体から離間した位置には、前記ミスト発生用回転体から放射された前記ミストが衝突する面が一側に形成された、前記ミスト発生用回転体とは別体の面状体が前記装置本体に固定されて配置されており、さらに前記面状体の一側の面には、凹凸形状が形成されていることを特徴とするミスト発生装置である。
【０００７】
かかる構成にあっては、前記ミスト発生用回転体の回転に伴う遠心力によって放射されたミストが衝突する前記面状体の一側の面が凹凸形状となっているため、ミストが前記一側の面に衝突して跳ね返る際に好適に分断又は破砕されることになり、跳ね返ったミストの粒径をより小さくしてミストの発生量を増加させることができる。また、前記ミスト発生用回転体と前記面状体とは別体であるため、当該面状体のメンテナンスが容易である。さらに、前記面状体は回転しないため、ミスト発生用回転体から放出されたミストと面状体との衝突箇所の偏りが抑えられて、所望の外径のミストが安定的に発生することになる。
【０００８】
なお、「供給された前記水が前記ミスト発生用回転体の遠心力によって放射方向にミストとなって放射される」場合の「ミスト」には、外径が十分小さく空気中に浮遊することが可能な「ミスト」以外にも、自重によって落下してしまい空気中に浮遊することの不可能ないわゆる「液滴」状のものも当然含まれる。
【０００９】
また、前記装置本体は、前記ミスト発生用回転体を基準として前記面状体よりも離れた位置に設けられた周壁部を具備し、前記ミスト発生用回転体と前記周壁部との間に位置する前記面状体は、前記一側の面から他側の面にわたって貫通する貫通孔を複数有している構成が提案される。
【００１０】
かかる構成とすることにより、前記面状体の一側の面は、前記貫通孔が設けられることで凹凸形状となっているため、前記ミスト発生用回転体から放射されたミストが前記一側の面に衝突して跳ね返る際に好適に分断又は破砕されることになり、跳ね返ったミストの粒径をより小さくしてミストの発生量を増加させることができる。また、前記貫通孔を通過したミストは前記周壁部によって拡散が抑えられるため、前記ミスト発生用回転体から放射されたミストは、前記面状体によって跳ね返るミストだけでなく、前記周壁部によって拡散が抑えられたミストも含まれることになる。したがって、全体としてミストの発生量を多くすることができる。
【００１１】
さらに、前記装置本体は、前記ミスト発生用回転体の周囲に上昇気流を発生させる上昇気流発生手段を備えており、また、前記装置本体の上部であって前記ミスト発生用回転体の上方に位置する部位には、前記上昇気流発生手段によって発生した上昇気流に乗ったミストが通過するミスト放出口部が形成されている構成が提案される。
【００１２】
かかる構成とすることにより、発生したミストを上昇気流に乗せてミスト放出口部から放出することで、前記ミスト発生用回転体周囲に発生したミストを無駄なく放出することができる。なお、ミスト放出口部から放出されるミストには、前記ミスト発生用回転体と前記面状体との間に存在するミストのみならず、前記面状体と前記周壁部との間に存在するミストも含まれる。
【００１３】
ここで、前記ミスト発生用回転体の回転軸が上下方向に定められており、かつ、前記上昇気流発生手段は、前記ミスト発生用回転体の側周部に設けられて、当該ミスト発生用回転体が回転することによって上昇気流を発生させる気流案内傾斜部によって構成されていることが望ましい。
【００１４】
かかる構成とすることにより、前記ミスト発生用回転体の回転力を利用して上昇気流を発生させることができるため、ミスト発生装置の構造が簡素となり、装置全体の小型化も可能となる。
【００１５】
また、前記面状体は、線材を筒形状に編んでなる網体であり、前記網体は、前記装置本体内に形成されて前記網体の下端部が挿入されるガイド溝に脱着可能に載置されている構成が提案される。
【００１６】
かかる構成として網体がミスト発生用回転体を囲繞する配置とすることにより、前記ミスト発生用回転体から放射されるミストは、無駄なく前記面状体に衝突する。そして、前記面状体が線材を編んだ網体であることによって一側の面が好適に凹凸形状を形成することができると共に、複数の貫通孔の孔径を小径化してミストの外径をより効率的に小径化することもできる。また、前記ガイド溝が形成されることで、ミスト発生用回転体に対する網体の位置が位置決めされるため、ミスト発生用回転体と網体との離間距離が一定となって、所望の外径のミストが安定的に発生することになる。さらに、網体の下端部がガイド溝に挿入されて網体が支持されることで、前記網体が前記装置本体に対して脱着容易となってメンテナンス作業が極めて容易となる。
【発明の効果】
【００１７】
本発明のミスト発生装置は、ミストの外径を小径化するとともに、十分な量のミストを発生させることができる優れた効果がある。
【図面の簡単な説明】
【００１８】
【図１】実施例にかかるミスト発生装置の概要を示す説明図である。
【図２】ミスト発生用回転体を示し、（ａ）は正面図であり、（ｂ）は縦断面図である。
【図３】ミスト発生用回転体を示し、（ａ）は平面図であり、（ｂ）は底面図である。
【図４】面状体の外観斜視図である。
【図５】ミスト発生室の内部を示す説明図である。
【図６】ミスト発生室における上昇気流を示す説明図である。
【図７】他の実施例にかかるミスト発生室内部の説明図である。
【図８】他の実施例にかかる気流案内傾斜部を示す説明図である。
【発明を実施するための形態】
【００１９】
本発明のミスト発生装置を具体化した実施例を詳細に説明する。なお、本発明は、下記に示す実施例に限定されることはなく、適宜設計変更が可能である。
【００２０】
図１に示すように、ミスト発生装置１は箱形状の装置本体１０を備えている。さらに装置本体１０内には、ミスト化するための水を貯留する水タンク１１が配設されている。また、水タンク１１内の水は、装置本体１０における高さ方向においてほぼ中央に配置された水受け部１８に供給される。
【００２１】
また、水受け部１８には、案内管１２の一端部が接続されている。そして、案内管１２の他端部には、装置本体１０内の下方に配置された昇温管１３が接続されており、水受け部１８に貯留されている水が、案内管１２を介して昇温管１３へ導入可能となっている。なお、案内管１２には、水を外部へ排出する排水バルブ１４と、昇温管１３側から水が逆流することを防止する逆止弁１５とが設けられており、案内管１２を通る水の流動方向が制御可能となっている。
【００２２】
さらに昇温管１３には、ヒーター１６が装着されている。ここで、ヒーター１６は外部電源に接続されており、ヒーター１６の加熱機能によって昇温管１３内の水が加温可能となっている。
【００２３】
また、昇温管１３には、給水管１７の下端部が接続されている。そして、給水管１７におけるノズル形状となった上端部は、後述するミスト発生用回転体７０の上方に位置している。かかる構成により、ヒーター１６によって温められた温水が、昇温管１３から給水管１７を通って、ミスト発生用回転体７０の上部に供給可能となっている。
【００２４】
また、装置本体１０内には、水受け部１８の一部が含まれるミスト発生室２０が形成されており、このミスト発生室２０のほぼ中央にミスト発生用回転体７０が配置されている。
【００２５】
次に、ミスト発生用回転体７０の支持構造について説明する。
【００２６】
ミスト発生室２０内における水受け部１８には、水受け部１８の水面よりも高い段部で構成された台座部２９が設けられている。そして、台座部２９には、上下方向に貫く回転軸３１が配設されており、回転軸３１の上端部に、ミスト発生用回転体７０が接続されて支持されている。一方、回転軸３１の下端部には、外部電源で駆動する駆動源としてのモーター３０が接続されている。なお、かかるモーター３０によって、例えば毎分約１８００回転でミスト発生用回転体７０が回転可能となっている。
【００２７】
さらに、装置本体１０の上部であってミスト発生用回転体７０の上方に位置する部位には、外部に開放されたミスト放出口部２２が形成されている。また、ミスト発生室２０に臨む位置には、ミスト発生室２０内に外気を導入する送風ファン４２が配置された空気導入路部４１が設けられている。
【００２８】
次に、図２，３に従ってミスト発生用回転体７０について詳述する。
【００２９】
ミスト発生用回転体７０は、ほぼ円筒形状の本体部７１を備えている。そして、本体部７１の下端部に、上述した回転軸３１の上端部が取り付けられており、この取り付け位置で、本体部７１における上端開口部７１Ａの直上に給水管１７が位置している。
【００３０】
また、本体部７１の上端には、本体部７１の外径よりも径大な上フランジ部７２が形成されている。そして、本体部７１の上端部であって上フランジ部７２のすぐ下側の位置に、本体部７１の内外を連通する放射孔部７３が貫通状に複数設けられている。なお、複数の放射孔部７３は、回転軸３１を中心に放射状に配置されている。
【００３１】
一方、本体部７１の下部には、本体部７１の内外を連通する縦断面視Ｌ字形状の排水孔部７６が複数形成されている。なお、複数の排水孔部７６は、回転軸３１を中心として放射状に配置されており、いずれも本体部７１の側方に向けて開放されている。
【００３２】
かかる構成にあって、ミスト発生用回転体７０が回転軸３１を中心に回転すると共に、ミスト発生用回転体７０内に給水管１７から温水が滴下（供給）されると、本体部７１内部に導入された温水はミスト発生用回転体７０の回転により発生した遠心力によって、本体部７１の内周面に沿って上昇して放射孔部７３に達する。そして、放射孔部７３に達した温水は、放射孔部７３からミスト発生用回転体７０の放射方向に向かってミストとして放射される。そして、ミスト発生用回転体７０から放射されたミストは、ミスト放出口部２２から放出されてミスト浴などに用いられる。
【００３３】
なお、ミスト発生用回転体７０の内周面をつたい落ちた温水は、排水孔部７６からミスト発生室２０へ排出され、水受け部１８に回収される。
【００３４】
次に、本発明の要部について説明する。
【００３５】
図１，図４に示すように、ミスト発生室２０におけるミスト発生用回転体７０の周囲には、ミスト発生用回転体７０を囲繞する台状のガイド溝形成部５１が設けられている。そして、かかるガイド溝形成部５１の上面部には、上側に開口したガイド溝５２が複数形成されている。ここで、かかるガイド溝５２は、図５に示すように、前記回転軸３１を中心とした平面視円環形状をなし、複数のガイド溝５２が同心円状に配置されている。
【００３６】
そして、複数のガイド溝５２のいずれかに、図５に示すように、円筒形状の網体６０が載置されている。すなわち、ミスト発生室２０内において網体６０は、当該網体６０の下端部がガイド溝５２内に脱着可能に挿入されることで、ミスト発生用回転体７０とミスト発生室２０の周壁部２１との間の位置で位置決めされている。
【００３７】
ここで、前記網体６０は、金属製の線材を筒形状に編んでなり、一側面６１（一側の面）から他側面６２（他側の面）にわたって貫通する貫通孔（網目）が複数形成されている。ここで、少なくとも一側面６１は、線材部分と貫通孔部分とが隣接することで凹凸形状となっている。なお、本実施例の網体６０により、本発明にかかる面状体が構成される。
【００３８】
また、ミスト発生用回転体７０において、本体部７１の下部には、本体部７１の外径よりも径大な下フランジ部７４が形成されている。そして、下フランジ部７４には、図３に示すように、傾斜状に貫通した気流案内傾斜部としての吹き上げ孔部７５が回転軸３１を中心に螺旋状に複数形成されている。
【００３９】
かかる構成にあって、ミスト発生用回転体７０が回転すると、図５に示すように、空気が吹き上げ孔部７５を流通してミスト発生用回転体７０の周囲に上昇気流が生成されることとなる。なお、本実施例における吹き上げ孔部７５により、本発明にかかる上昇気流発生手段が構成される。
【００４０】
ここで再度、ミスト発生用回転体７０から放射されたミストについて図６に従って説明する。
図６に示すように、ミスト発生用回転体７０の放射孔部７３から放射されたミストの少なくとも一部は、網体６０の一側面６１に衝突する。ここで、網体６０の一側面６１は多数の凹凸を有しているため、当該一側面６１に衝突して分断又は破砕したミストが跳ね返って更に細かい外径のミストが生成される。また、網体６０の貫通孔を通過したミストは、さらに小径のミストとなって網体６０と周壁部２１との間隙に至る。そしてさらに、周壁部２１に衝突したミストも、さらに小径のミストとなる。
【００４１】
そして、ミスト発生室２０内に浮遊するミストや、網体６０に付着したミストが、ミスト発生用回転体７０の吹き上げ孔部７５によって生成された上昇気流に吹き上げられて、上昇気流に乗りつつ外部から空気導入路部４１を介して導入される外気（空気）と混ざってミスト放出口部２２から外部へ放出される。具体的に上昇気流の大部分は、ミスト発生用回転体７０と網体６０との間で生成されるが、網体６０を通過して当該網体６０と周壁部２１との間でも生成される。なお、網体６０は、ミストをミスト発生用回転体７０の周囲に集めてミスト放出口部２２に向けて案内する機能も果たしている。
【００４２】
一方、図１等に示すように、ミスト発生室２０内で浮遊せずに沈降したミストや液滴となった温水、網体６０をつたい落ちた温水、周壁部２１をつたい落ちた温水、並びにミスト発生用回転体７０をつたい落ちた温水は、水受け部１８に落下して再び給水管１７へ導入される。
【００４３】
ここで、ミスト発生用回転体７０から飛散したミストは、装置本体１０とは別体であって当該装置本体１０に対して回転しないような状態で配置された網体６０に衝突するため、網体６０との衝突箇所の偏りが抑えられて、所望の外径のミストが安定的に発生する。また、網体６０は回転しないため、ミスト発生用回転体７０から飛散したミストが所定の入射角を保って網体６０の一側面６１に衝突することとなって、ミストをより一層効率良く分断又は破砕することが可能となる。
【００４４】
また、ミスト発生室２０内で発生するミストは、ミスト発生用回転体７０から放射される際と、網体６０の一側面６１に衝突して跳ね返る際と、網体６０を通過した際と、周壁部２１に衝突して跳ね返る際に発生するため、ミストの発生量が全体として格段に増加する。
【００４５】
なお、所望の外径のミストや所望の発生量のミストを得るためには、ミスト発生用回転体７０の回転数や網体６０の位置、又は網体６０を構成する線径や網目の孔径等を適宜調節すればよい。
【００４６】
また、網体６０にはゴミ等が付着しやすく、これによってミストの発生量が低下するおそれがあるが、網体６０はガイド溝５２内に差し込まれた脱着可能な簡易構造であり、しかも網体６０単独で取り外すことができるため、網体６０の交換やメンテナンス作業が極めて容易である。
【００４７】
また、ミスト発生装置１は、温水を利用し、かつ上部に設けたミスト放出口部２２から上昇気流を用いてミストを放出する構成であるため、網体６０やミスト発生用回転体７０の上方に駆動系の構造体が配置されることがなくなり、ミスト放出口部２２から網体６０やミスト発生用回転体７０を取り出してメンテナンスを行うことができる。
【００４８】
上記の実施例において、各部の寸法形状は適宜自由に選択可能である。例えば、ミスト放出口２２の寸法は、適宜、変更可能である。ここで、ミスト放出口２２の内径が、網体６０の外径より小さい寸法とした場合は、装置本体１０を構成するカバー体を取り外して網体６０を取り外し可能とするようにしてもよい。
【００４９】
また、ミスト発生用回転体７０と周壁部２１との間に配置される本発明の面状体としては、いわゆるパンチングメタルや格子体やメッシュ体のものであっても勿論よい。また、面状体の形状は円筒形状に限定されず、ミスト発生用回転体７０に隣接して配置される板片形状であってもよい。
【００５０】
また、例えば図７に示すように、網体６０を配置する代わりに、周壁部２１０の一側面に凹凸形状を形成して当該周壁部２１０を本発明の面状体としてもよい。
【００５１】
また、ミスト発生用回転体７０に設ける気流案内傾斜部としては、吹き上げ孔部７５に代えて、図８に示すように、プロペラ状の羽根板１７５を採用したミスト発生用回転体１７０が用いられても勿論よい。
【００５２】
また、装置本体１０内に、送風機を個別に取り付けてミスト発生用回転体７０，１７０の周囲に上昇気流を発生させるようにして当該送風機を上昇気流発生手段としてもよい。また、ミスト発生装置１の内部構造は適宜設計変更が可能であり、例えば空気導入路部４１によって導入される外気がヒーター１６を通過する構成として、ミスト発生室２０内に加温された外気が導入される構成としてもよい。
【００５３】
また、ミスト発生用回転体７０，１７０は、モーター３０によって回転するものに限定されず、水車構造のように温水の流圧によって回転するものであってもよいし、他の構造によって回転するものであってもよい。
【００５４】
また、ミスト発生装置１で発生させるミストは、温水ミストに限定されず、例えば常温ミストや冷水ミストであっても勿論よい。仮に冷水ミストを発生させる構成を採用した場合には、使用者に冷感を与えることが可能となる。また、ミスト化を妨げない範囲で、使用される水に添加物や可溶物が含まれていても勿論よい。
【符号の説明】
【００５５】
１                  ミスト発生装置
１０                装置本体
２１，２１０        周壁部
２２                ミスト放出口部
３１                回転軸
５２                ガイド溝
６０                網体（面状体）
６１                一側面（一側の面）
６２                他側面（他側の面）
７０                ミスト発生用回転体
７５                吹き上げ孔部（気流案内傾斜部、上昇気流発生手段）
【図１】
2019063309.tif 000003
【図２】
2019063309.tif 000004
【図３】
2019063309.tif 000005
【図４】
2019063309.tif 000006
【図５】
2019063309.tif 000007
【図６】
2019063309.tif 000008
【図７】
2019063309.tif 000009
【図８】
2019063309.tif 000010